(57)【特許請求の範囲】
【請求項１】
楽曲演奏度数記録手段と、楽曲標準偏差記録手段と、換算標準偏差記録手段と、相対標準偏差倍率記録手段と、推奨楽曲抽出手段と、推奨楽曲表示手段を要し、カラオケ装置を利用したシステムであって、
（ア）楽曲演奏度数記録手段とは、カラオケ装置で演奏された楽曲毎につき、一年間を所定数で区分した各区間の演奏度数を、演奏度数管理テーブルに記録するものであり、
（イ）楽曲標準偏差記録手段とは、前記演奏度数管理テーブルで記録された楽曲毎の年間総度数および、そこから求められる区間平均度数から所定区間単位の標準偏差を求め、楽曲標準偏差管理テーブルに記録するものであり、
（ウ）換算標準偏差記録手段とは、前記楽曲毎の標準偏差と年間総度数から、一度数当たりの換算標準偏差を求め、換算標準偏差管理テーブルに記録するものであり、
（エ）相対標準偏差倍率記録手段とは、前記楽曲毎の各区間の演奏度数および前記区間平均度数と標準偏差から、区間単位の相対標準偏差倍率を求め、相対標準偏差倍率管理テーブルに記録するものであり、
（オ）推奨楽曲抽出手段とは、前記一度数当たりの換算標準偏差の値と、前記区間単位の相対標準偏差倍率の値から、それぞれ所定基準値を同時に満たした楽曲を抽出し、推奨楽曲リストを作成するものであり、
（カ）推奨楽曲表示手段とは、カレンダー機能による時間の経過に従って現時点の区間を判別し、当該区間に対応する前記推奨楽曲リストに基づく楽曲情報を適宜タイミングで表示する、
ことを特徴とするカラオケ楽曲推奨システム
【請求項２】
利用者ＩＤ取得手段と、楽曲演奏度数記録手段と、楽曲標準偏差記録手段と、換算標準偏差記録手段と、相対標準偏差倍率記録手段と、推奨楽曲抽出手段と、推奨楽曲表示手段を要し、カラオケ装置を利用したシステムであって、
（ア）利用者ＩＤ取得手段とは、利用者ＩＤを取得して利用者を特定するものであり、
（イ）楽曲演奏度数記録手段とは、前記利用者ＩＤにて特定された利用者につき、カラオケ装置で演奏された楽曲毎の演奏度数を、演奏度数管理テーブルに記録するものであり、（ウ）楽曲標準偏差記録手段とは、前記演奏度数管理テーブルで記録された楽曲毎の年間総度数および、そこから求められる区間平均度数から所定区間単位の標準偏差を求め、楽曲標準偏差管理テーブルに記録するものであり、
（エ）換算標準偏差記録手段とは、前記楽曲毎の標準偏差と年間総度数から、一度数当たりの換算標準偏差を求め、換算標準偏差管理テーブルに記録するものであり、
（オ）相対標準偏差倍率記録手段とは、前記楽曲毎の各区間の演奏度数および前記区間平均度数と、標準偏差から、区間単位の相対標準偏差倍率を求め、相対標準偏差倍率管理テーブルに記録するものであり、
（カ）推奨楽曲抽出手段とは、前記一度数当たりの換算標準偏差の値と、前記区間単位の相対標準偏差倍率の値から、それぞれ所定基準値を同時に満たした楽曲を抽出し、推奨楽曲リストを作成するものであり、
（キ）推奨楽曲表示手段とは、任意の利用者が前記利用者ＩＤ取得手段をもって特定され
た場合に、カレンダー機能による時間の経過に従って現時点の区間を判別し、当該区間に対応する前記推奨楽曲リストに基づく楽曲情報を適宜のタイミングで表示するものである、
ことを特徴とするカラオケ楽曲推奨システム。
【請求項３】
前記カラオケ装置とネットワーク接続されたカラオケホストセンターを利用し、カラオケホストセンター内に、楽曲演奏度数記録手段が設けられていることを特徴とする請求項１または請求項２に記載のカラオケ楽曲推奨システム。
【発明の詳細な説明】
【技術分野】
【０００１】
本発明は、カラオケ装置によりカラオケ演奏される楽曲が年間の特徴的時期に相応しい季節感を備えたものであるかを自動的に判断し、特定の時期に頻繁にリクエストされるものを抽出し、歌唱を推奨するために、予め作成されたリストに基づく楽曲名や選曲コードなどの楽曲情報を表示可能としたカラオケ楽曲推奨システムに関する。
【背景技術】
【０００２】
現在では、カラオケボックスや飲食店などに設置されたカラオケ装置を利用して歌唱を行う場合、発達したデータ処理機能により演奏された楽曲を特定し、カラオケ装置単体、あるいは、複数のカラオケ装置とネットワーク接続されたカラオケホストセンターにて演奏度数を収集することができる。そこで、このデータ処理機能を利用して演奏回数の高い順に楽曲をリスト表示し、選曲が容易となるようにしたシステムが本願出願人により提案されている（例えば、特許文献１）。
【０００３】
このシステムは、端末となるカラオケ装置とネットワーク接続されたカラオケホストセンターの記憶部に楽曲毎にファイルを備え、この楽曲ファイルに演奏回数が記録され、更新されるようにしている。したがって、例えば、演歌、ポップス、デュエットなどのような楽曲カテゴリー毎に演奏回数の多い上位２０曲を抽出し、これを推奨曲としてその楽曲名をリスト化してモニターに表示することにより、カラオケ歌唱者によるカラオケ楽曲の選択が容易となるようにしている。
【特許文献１】特開平１１−０５２９６５号公報
【発明の開示】
【発明が解決しようとする課題】
【０００４】
しかしながら、上記システムでは、特に「季節感」という概念では統計が取られていない。また、例え「季節感」という範疇にて分類する際でも、一年間を所定数で区分した各区間において、上記技術に基づき、ある区間において、単純に演奏度数（演奏回数）が高い楽曲が季節感を有するとは限らない。すなわち、例えば、年間を通じて全区間に演奏度数が高い人気の楽曲では、各区間において演奏度数の上位曲として抽出されるが、当然、この楽曲に季節感があるとは言えないのである。したがって、カラオケ利用者に対し、年間における所定の区間毎（時節毎）に、その季節感のある楽曲リストをもって時節に対応させて推奨し、歌唱を促すようなシステムは従来では存在していなかった。
【０００５】
ところで、このような推奨楽曲リストを作成する場合において、春夏秋冬、あるいはクリスマスシーズン、卒業シーズンなどの年間の特徴的時期に相応しい楽曲を自動的に選択し、その時節に相応しい推奨楽曲リストを表示できれば、換言すれば、季節毎や月別といった１年を所定数に区分したそれぞれの時期に、その時節に相応しい季節感のある楽曲を時節に対応させて推奨できれば、カラオケ利用者の歌唱意欲を喚起できる。さらに、季節感のある楽曲といっても個人毎に異なる場合もあり、利用者一人一人に対応した季節感のある楽曲を推奨すれば、時節毎に各利用者への歌唱の動機付けにもなる。
【０００６】
そこで、本発明は、季節感のある楽曲を抽出し、時節に対応させてその楽曲情報を表示することでカラオケ利用者の歌唱意欲を喚起し、さらには、利用者一人一人に対応した季節感のある楽曲を時節に対応させて推奨することで、時節毎に各利用者への歌唱の動機付けが行えるシステムの提供を課題とする。
【課題を解決するための手段】
【０００７】
上記課題に鑑み、本発明者らは、標準偏差を用いた統計的判断により年間の特徴的時期に相応しい季節感のある推奨楽曲リストを自動的に作成し、季節感や月別など所定の時節に推奨する楽曲情報を表示する発明を想到した。さらに詳しくは、カラオケ装置で演奏された楽曲毎の年間総度数と予め設定された区間の平均度数から当該区間単位の標準偏差を算出し、これに基づき各楽曲の一度数当たりの換算標準偏差をさらに算出することで季節感のある楽曲を判別して抽出し、また、抽出された当該楽曲毎の各区間の演奏度数および前記区間平均度数と標準偏差から区間単位の相対標準偏差倍率を求めることで、何れの区間が他の区間より演奏度数が突出しているかを判別し、カレンダー機能に基づき、区間毎に抽出された推奨楽曲情報を表示するシステムをもって、上記課題を見出し、本発明を想到した。
【０００８】
すなわち、請求項１記載のカラオケ楽曲推奨システムは、楽曲演奏度数記録手段と、楽曲標準偏差記録手段と、換算標準偏差記録手段と、相対標準偏差倍率記録手段と、推奨楽曲抽出手段と、推奨楽曲表示手段を要し、カラオケ装置を利用したシステムであって、楽曲演奏度数記録手段とは、カラオケ装置で演奏された楽曲毎につき、一年間を所定数で区分した各区間の演奏度数を、演奏度数管理テーブルに記録するものであり、楽曲標準偏差記録手段とは、前記演奏度数管理テーブルで記録された楽曲毎の年間総度数および、そこから求められる区間平均度数から所定区間単位の標準偏差を求め、楽曲標準偏差管理テーブルに記録するものであり、換算標準偏差記録手段とは、前記楽曲毎の標準偏差と年間総度数から、一度数当たりの換算標準偏差を求め、換算標準偏差管理テーブルに記録するものであり、相対標準偏差倍率記録手段とは、前記楽曲毎の各区間の演奏度数および前記区間平均度数と標準偏差から、区間単位の相対標準偏差倍率を求め、相対標準偏差倍率管理テーブルに記録するものであり、推奨楽曲抽出手段とは、前記一度数当たりの換算標準偏差の値と、前記区間単位の相対標準偏差倍率の値から、それぞれ所定基準値を同時に満たした楽曲を抽出し、推奨楽曲リストを作成するものであり、推奨楽曲表示手段とは、カレンダー機能により現時点の区間を判別し、当該区間に対応する前記推奨楽曲リストに基づく楽曲情報を適宜のタイミングで表示することを特徴とするものである。
【０００９】
請求項２記載のカラオケ楽曲推奨システムは、利用者ＩＤ取得手段と、楽曲演奏度数記録手段と、楽曲標準偏差記録手段と、換算標準偏差記録手段と、相対標準偏差倍率記録手段と、推奨楽曲抽出手段と、推奨楽曲表示手段を要し、カラオケ装置を利用したシステムであって、利用者ＩＤ取得手段とは、利用者ＩＤを取得して利用者を特定するものであり、楽曲演奏度数記録手段とは、前記利用者ＩＤにて特定された利用者につき、カラオケ装置で演奏された楽曲毎の演奏度数を、演奏度数管理テーブルに記録するものであり、楽曲標準偏差記録手段とは、前記演奏度数管理テーブルで記録された楽曲毎の年間総度数および、そこから求められる区間平均度数から所定区間単位の標準偏差を求め、楽曲標準偏差管理テーブルに記録するものであり、換算標準偏差記録手段とは、前記楽曲毎の標準偏差と年間総度数から、一度数当たりの換算標準偏差を求め、換算標準偏差管理テーブルに記録するものであり、相対標準偏差倍率記録手段とは、前記楽曲毎の各区間の演奏度数および前記区間平均度数と、標準偏差から区間単位の相対標準偏差倍率を求め、相対標準偏差倍率管理テーブルに記録するものであり、推奨楽曲抽出手段とは、前記一度数当たりの換算標準偏差の値と、前記区間単位の相対標準偏差倍率の値から、それぞれ所定基準値を同時に満たした楽曲を抽出し、推奨楽曲リストを作成するものであり、推奨楽曲表示手段とは、任意の利用者が前記利用者ＩＤ取得手段をもって特定された場合に、カレンダー機能により現時点の区間を判別し、当該区間に対応する前記推奨楽曲リストに基づく楽曲情報を適宜のタイミングで表示することを特徴とするものである。
【００１０】
請求項３記載のカラオケ楽曲推奨システムは、請求項１または請求項２記載の発明において、カラオケ装置とネットワーク接続されたカラオケホストセンターを利用し、当該カラオケホストセンター内に、楽曲演奏度数記録手段が設けられていることを特徴とする。
【発明の効果】
【００１１】
請求項１記載の発明によれば、推奨楽曲リストを、標準偏差を用いた統計処理の結果に基づいて自動的に作成し、時節に対応させて表示するようにしたもので、年間の特徴的時期に相応しい季節感のある推奨楽曲情報をもって、カラオケ利用者の歌唱意欲を喚起することが可能となる。また、請求項２記載の発明によれば、季節感のある楽曲といっても個人毎に異なる場合があるため、利用者一人一人に対応した季節感のある楽曲を時節に対応させて推奨でき、時節毎に各利用者への歌唱の動機付けが行える。さらに、請求項３記載の発明によれば、特に、通信カラオケネットワークを用いて、カラオケホストセンターに接続された広範囲に設置された多数のカラオケ装置から演奏度数を収集できると共に、統計処理の結果を何れのカラオケ装置へも換言できるため、広範囲なサービスが可能となる。また、これを請求項２記載の発明に対応させれば、利用者は広範囲に設置された何れのカラオケ装置でも同様なサービスを享受することができる、などといった効果を奏する。
【発明を実施するための最良の形態】
【００１２】
図１は、本発明のシステムを実現するためのカラオケ装置を示すもので、補助端末装置１は、カラオケ装置本体２との間で、データの送受信を無線ＬＡＮやＩＲ（赤外線）、あるいは有線などをもって行う。このカラオケ装置本体２は、選曲の予約登録を受け付けたり、予約された楽曲を演奏したり、歌詞テロップを表示したり、演奏楽曲と歌唱音声を合成したり、あるいは、本発明の処理を含む各種のデータ処理を行うなどの機能を有し、図３に示す情報通信ネットワークＮを介してカラオケシステムの運営事業者のカラオケホストセンター（楽曲配信／データ収集・処理センター）３０から楽曲の配信を受け、あるいはカラオケ歌唱者の個人データや楽曲の固有データなどの送受信を司る。
【００１３】
前記カラオケ装置本体２には、ＤＶＤプレーヤ（通常はカラオケ装置本体に内蔵）３、モニター４、アンプユニット５が接続されており、このカラオケ装置本体２から出力される信号によりモニター４に歌詞映像と背景画像を表示し、歌詞映像の表示と同期させてカラオケ楽曲の再生信号をアンプユニット５へ送出し、スピーカシステム６・７から演奏音が得られるようにしている。そして、前記アンプユニット５にはマイクロフォン８・９が接続されており、カラオケ歌唱者はこのマイクロフォン８・９によりカラオケ歌唱を行う。
【００１４】
図２は、このように構成されたカラオケシステムの具体的構成を示すブロック図であり、システムバスＢ１に接続されたＣＰＵ（Central Processing Unit）１０がシステム全体の制御を司る。ＲＯＭ１１には制御プログラムなどが格納され、ＲＡＭ１２に制御処理の内容などが一時記憶されるようにしている。コマンダ受信部１３は、コマンダ（選曲用リモコン装置）１４、あるいは補助端末装置１から送られてくる赤外線コード信号を受信し、コマンドデータを復元してシステムバスＢ１へ転送する。
【００１５】
操作部１５は、カラオケ装置本体２のフロントパネルに設けられた各種スイッチであり、予約選曲、キーコントロール、歌唱プログラムなどカラオケ装置特有の機能をマニュアル設定可能となるようにしている。表示制御部１６は、現在の設定状態や各種のメッセージをカラオケ装置本体２の表示部２ａ（図１参照）で表示するための表示制御を行う。
【００１６】
ＤＶＤプレーヤ３は、光ディスクをドライブし、記録されている背景画像を表示制御部１７へ出力するもので、ＣＰＵ１０により制御される。通信制御部１８は、情報通信ネットワークＮを介してカラオケホストセンター３０と情報の授受を行うための制御を司る。ＨＤＤ（Hard Disk Drive Unit）１９は、カラオケホストセンター３０（図３参照）から受信した楽曲データやカラオケ演奏以外の機能を実行させるデータであるＩＣＭデータを記憶する。また、このＨＤＤ１９には、本発明によるデータ処理を実行し、その処理結果を記憶する各種管理テーブルを備える。
【００１７】
文字パターン展開部２０は、指定された楽曲の歌詞データを入力し、表示制御部１７へ出力することにより背景映像とともに楽曲の進行に伴い、歌詞を色替えさせながら表示することが可能となるようにし、モニター４へこれを表示する。音源２１は、ＭＩＤＩ（Musical Instrument Digital Interface）信号などで受信した楽曲データから楽音信号を形成する。一方、音声データ処理部２２は、楽曲データに含まれる音声データに基づいてバックコーラスなどの音声信号を再生する。
【００１８】
前記音源２１が形成した楽音信号および音声データ処理部２２が再生した音声信号は、ＤＳＰ（Digital Sound Processor）２３へ入力し、これらの楽音信号および音声信号に対してリバーブ、エコーなどの効果を付与する。なお、ＤＳＰ２３が付与する効果の種類や程度は、楽曲データに含まれているＤＳＰ制御データに基づいて決定される。効果が付与された楽音信号、音声信号はＤ／Ａ変換器２４でカラオケ楽曲信号となり、カラオケ演奏が可能となるようにアナログ信号に変換され、アンプユニット５へ出力される。アンプユニット５は、マイクロフォン８・９からの歌唱音声信号を同時に入力し、この歌唱音声信号とカラオケ楽曲信号をミキシングして増幅し、スピーカシステム６・７を駆動する。
【００１９】
つぎに、前記補助端末装置１の構成について説明する。この補助端末装置１は、利用者ＩＤ取得機能を有したカードデータ読取部１ｃや、液晶ディスプレイとタッチセンサを積層して一体に構成されたＧＵＩ（Graphical User Interface）１ａなどを備えている。前記カードデータ読取部１ｃは、図１に示す利用者ＩＤカードＣ（非接触ＩＣカード）の記録内容の読み取りが可能となるように構成されており、ＧＵＩ１ａはタッチパネル方式の入力操作により作業メニューを選択できるようにしてある。
【００２０】
補助端末装置１の各構成要素は、図２に示すようにシステムバスＢ２に接続され、ＣＰＵ１ｂによりＧＵＩ１ａの表示制御、カードデータ読取部１ｃのデータ読取制御などの処理を行う。また、システムバスＢ１・Ｂ２はケーブルにより接続され、カラオケ装置本体２における処理内容、例えば、再生演奏中のカラオケ楽曲の歌詞データをＧＵＩ１ａに表示可能となるようにしてあり、補助端末装置１からの入力指示により、例えば、カラオケ装置本体２に格納されている楽曲目次の表示あるいは楽曲の検索が可能となるようにしてある。また、図３に示す、補助端末装置１に入力された内容をカラオケ装置本体２へ転送し、情報通信ネットワークＮを介してカラオケホストセンター３０へ送信し、あるいはカラオケホストセンター３０からのデータをカラオケ装置本体２を介して受信することが可能となるようにしてある。
【００２１】
図３は、上記した情報通信を可能とするため構築されたネットワークの概要を示すもので、複数の店舗Ｓ（Ｓ、Ｓ・・・・）に設置されたカラオケ装置本体２は、カラオケホストセンター３０に情報通信ネットワークＮを介して接続される。このカラオケホストセンター３０は、膨大な楽曲を蓄積した楽曲データベースＤＢ１の他に利用者データベースＤＢ２を備える。この楽曲データベースＤＢ１には、この楽曲データの他に、各カラオケ装置から収集した演奏日時を伴う楽曲毎の演奏度数のデータが集計される。
【００２２】
カラオケホストセンター３０の利用者データベースＤＢ２は、カラオケシステムを運営する事業者に登録された利用者情報であり、各利用者ＩＤに紐付けした、氏名、年齢、住所、電話番号などの基礎データの他に、利用者の歌唱履歴や採点結果などのデータが記憶されている。したがって、このように構築された各データベースＤＢ１・ＤＢ２に店舗Ｓからアクセスすることにより、要求に応じて必要とするデータを取得することができる。
【００２３】
すなわち、登録利用者が店舗Ｓに入店し、補助端末装置１のカードデータ読取部１ｃへ自身の利用者カードＣをセットすると、補助端末装置１は登録利用者が入店したことを示す情報が情報通信ネットワークＮを介してカラオケホストセンター３０の入力制御部３０ａに入力する。入力制御部３０ａは、入力された利用者ＩＤで利用者データベースＤＢ２をアクセスし、該当する利用者会員のデータにアクセスし、抽出した利用者データを出力制御部３０ｃから情報通信ネットワークＮを介して店舗Ｓへ転送する。これにより、システムにログインした登録利用者の利用者ＩＤを取得し、ログインした登録利用者を特定することができる。
【００２４】
つぎに、本発明において実行する統計処理の概要について説明する。この統計処理は、カラオケホストセンター３０において実行することも可能であるが、本実施例ではＨＤＤ１９に管理テーブルを構成し、カラオケ装置内でデータ処理を実行する例について説明する。
【００２５】
通常、店舗に設置されたカラオケ装置やカラオケホストセンター３０では、統計管理の必要から楽曲の演奏度数を記録するようにしている。この場合の統計データは、カラオケ装置に楽曲毎の演奏度数を図５に示すＨＤＤ１９の演奏度数管理テーブル１９ａに蓄積して記憶し、例えば、月間単位でカラオケホストセンター３０へ転送したり、カラオケ装置がリクエストされた楽曲が演奏された度に１カウントを転送するようにしても構わない。
【００２６】
このようにして収集された統計データの一例を図４に示す。同図は、複数の楽曲の演奏度数を区間（月間）毎に集計し、期間（年間）単位で一覧表示した統計表である。同図では、特定の楽曲００１〜０１０をＡ欄に例示しているが、実際には数百万曲の統計データとなる。この統計表では各楽曲とも３月から翌年２月までの集計結果が示されており、各楽曲のＢ欄の行の上段に月間演奏度数（Ｘｉ：ｉ＝１〜１２）が示され、この例では、楽曲００１の３月の月間演奏度数（Ｘ３）は１９００度であり、翌年２月の月間演奏度数（Ｘ２）が１８３度であることを示している。なお、本実施例では、一年を各月毎に１２区分して区間を設定しているが、本発明はこれに限らず、例えば、３ヶ月単位で区間を設定し、春夏秋冬の４区分とするなど、区間設定は任意に行うことができる。
【００２７】
図４の統計表に示された３月から翌年２月までの各楽曲の月間の演奏度数を図表により示すと図６乃至図１５のようになる。同図において、例えば、図６の楽曲００１は３月と４月に多くの演奏があり、図１５の楽曲０１０は年間を通じて平均していることが判る。このように統計データを図表により可視化することにより人の判断で演奏度数がきわだって覆い月間のある楽曲を抽出することは一応可能である。ところで、これを自動化する場合には、楽曲毎に演奏度数の多い月間、例えば、最大の演奏度数を示す月間を単純に季節感のある月間として定義するのは必ずしも適切でない。そこで、本発明では、以下に述べる手順により統計データ上のすべての楽曲について、年間を所定数の区間に分割し、各区間の演奏度数に基づく標準偏差を算出し、これを用いて演奏度数が際だって多い月間のある楽曲を自動的に抽出できるようにした。
【００２８】
以下にその処理の手順を図１６に示すフローチャートに基づいて説明する。なお、データ処理の各段階で採用する処理演算式を図１７に示す。また、処理の流れに従って生成されるデータは、本実施例では、カラオケ装置の前記ＨＤＤ１９に構成された、図５に示す管理テーブル１９ａ〜１９ｅに蓄積され記憶される。
【００２９】
まず、図１６に示す処理の流れにおけるステップＳａ１において、各楽曲毎の月間演奏度数（Ｘｉ）の収集がなされる。つぎに、ステップＳａ２へ移行し、３月から翌年２月までの演奏度数の総計を図１７に示す式１に基づく処理を行い、求めた年間総度数（Ｘｇ）を図４の統計表のＣ欄に示す。この例では、楽曲００１の年間総度数（Ｘｇ）は６２９５度であり、楽曲０１０の年間総度数（Ｘｇ）は１１５２度であることを示している。統計表のＤ欄には式２に基づく処理により算出された月間平均度数（Ｘａｖ）が示され、この例では、楽曲００１の月間平版度数（Ｘａｖ）は５２４．６度であり、楽曲０１０の月間平均度数（Ｘａｖ）は９６．０度であることを示している。
【００３０】
このようにして年間総度数（Ｘｇ）と月間平均度数（Ｘａｖ）が求められたことから、演奏度数の偏りの程度を示す標準偏差を導くことができる。図１７に示す式３は標準偏差を求める定義式に相当し、この式３に基づく処理により算出された値を図４の統計表のＥ欄に示す。この例では、楽曲００１の楽曲標準偏差（σ）は６４７．２であり、楽曲０１０の楽曲標準偏差（σ）は３．９であることを示している。このようにして求められた楽曲標準偏差（σ）はＨＤＤ１９の楽曲標準偏差管理テーブル１９ｂに蓄積され記憶される。
【００３１】
上記のようにして算出された楽曲標準偏差（σ）はデータのバラツキの程度を示すものであるから、この数値から有意の相対的かつ客観的な判断を行うことができない。例えば、楽曲００５は、年間総度数（Ｘｇ）が７９５２度で楽曲標準偏差（σ）が５００．７であり、年間総度数（Ｘｇ）が６２９５度の楽曲００１の楽曲標準偏差（σ）より低い値となっているため、一義的な判断が困難である。即ち、各楽曲の楽曲標準偏差（σ）はその年間総度数（Ｘｇ）に大きく値が左右される（例えば、同じ演奏傾向であっても、楽曲毎の年間総度数が１０倍になれば、その楽曲標準偏差も１０倍となる）ので、その大小のみでは特徴的期間の有無をこの時点では判断することができない。
【００３２】
そこで本発明では、ステップＳａ５において式４に基づく処理を行い、演奏の１度数当たりの標準偏差、即ち、換算標準偏差（α）を算出するようにした。この換算標準偏差（α）は、楽曲標準偏差（σ）を年間総度数（Ｘｇ）で除した値であり、その数値を図４の統計表のＦ欄に示す。そして、求められた換算標準偏差（α）はＨＤＤ１９の換算標準偏差管理テーブル１９ｃに蓄積され記憶される。
【００３３】
このようにして求めた換算標準偏差（α）を図表にしたものを図１８に示す。同図から明らかなように、楽曲００９および楽曲０１０の換算標準偏差（α）が極端に低く、このことから各月の演奏度数が図１４、図１５に示すように平均化していると判断することができる。即ち、この換算標準偏差（α）の値が大きい場合、当該楽曲が年間の特定の時期に集中してリクエストされる特徴的時期を有することを示すことになる。
【００３４】
したがって、この換算標準偏差（α）に閾値を設定し、換算標準偏差（α）がこの閾値以上となった楽曲をステップＳａ６で抽出するようにしている。ステップＳａ６に示す例では、閾値を０．０５に設定したもので、この閾値０．０５を超える楽曲００１〜楽曲００８が抽出され、一方、超えない楽曲００９および楽曲０１０が特徴的期間（季節感）が存在しないものと判断され、ステップＳａ７において除外処理される。したがって、例えば、閾値を０．０５ではなく０．０８と変更した場合には、抽出される楽曲は楽曲００１〜楽曲００４および楽曲００８ということになる。即ち、閾値の大小によって抽出される楽曲の数が定まり、閾値を大きくするほど抽出される楽曲の数は少なくなる。
【００３５】
以上のようにしてステップＳａ６において演奏度数の特徴的時期の楽曲が抽出されると、ステップＳａ８において式５に基づく処理が実行され、特徴的時期が何月に発生するかが判断される。即ち、式５の演算は、月間演奏度数（Ｘｉ）から月間平均度数（Ｘａｖ）を減じ、その結果を楽曲標準偏差（σ）で除して求められるもので、相対標準偏差倍率（β）と呼ぶ。各楽曲００１〜０１０の相対標準偏差倍率（β）を図４の統計表のＢ欄の各行の下段に示す。そして、求められた相対標準偏差倍率（β）はＨＤＤ１９の相対標準偏差倍率管理テーブル１９ｄに蓄積され記憶される。
【００３６】
このようにして相対標準偏差倍率（β）が得られると、例えば、楽曲００１は図１９のように、楽曲０１０は図２０のように図表化することが可能となり、楽曲００１は３月、４月にリクエストが集中していることが機械的に判別できる。なお、因みに、上記換算標準偏差（α）の閾値を０．００１とし、楽曲０１０が除外処理されなかった場合でも、楽曲０１０は年間を通じて演奏度数が平均化しており、特徴的時期がないと判断できる。
【００３７】
そこで、本発明では、この相対標準偏差倍率（β）に閾値を設定し、相対標準偏差倍率（β）がこの閾値以上となる月間をステップＳａ９で抽出し、何れの月間が他の月間より演奏度数が突出しているかを判別できるようにしている。ステップＳａ９で示す例では、閾値を１．５に設定したもので、この閾値１．５を超える月間を当該楽曲の特徴的時期と判定するようにしている。したがって、この閾値を大きく設定した場合は、抽出されなくなる楽曲もあり、この楽曲はステップＳａ１０で除外処理される。
【００３８】
一方、抽出された楽曲は、ステップＳａ１１においてリスト化され、ＨＤＤ１９の推奨楽曲管理テーブル１９ｅに蓄積され、推奨楽曲のモニター４および／または補助端末装置１においてリスト表示が可能となる。そして、このようにして作成された推奨楽曲リストは、カレンダー機能による時間の経過に従って順次新たな推奨楽曲を自動的に選出して更新されるようにしたことから、年間のどのような時点（タイミング）においてもスイッチ操作、コマンド操作あるいはカラオケ演奏が休止している状態を自動的に判断して推奨楽曲リストの表示が可能となる。
【００３９】
図２１は、作成された推奨楽曲リストの一例を示すもので、同図に示すように、例えば、夏季のような特徴的時期に頻繁に歌唱されている楽曲が表示されると、カラオケ歌唱者はカラオケ楽曲の選択が容易となり、歌唱意欲が喚起されることになり、推奨楽曲リストが表示されている画面上の楽曲を指定し、直ちにカラオケ演奏を開始させることができる。
【００４０】
以上は、統計の対象が、利用者ＩＤに関係なくシステム全体の演奏度数を前提としており、広範囲に統計処理を行った場合の例を示したものである。ところで、前述したようにカラオケホストセンター３０の利用者データベースＤＢ２（図３参照）には、登録利用者が歌唱したカラオケ楽曲の演奏履歴が蓄積され記憶されており、この利用者ＩＤ毎の演奏度数に基づき、上記内容の統計処理を行うことができる。
【００４１】
ここで、この利用者毎の演奏履歴の採取方法を具体的に詳述する。前述したように、補助端末装置１にはＧＵＩ１ａが設けられており、これが利用者ＩＤを伴うログインとログアウトを指示するための利用者インタフェイスとなっている。図２２は、このＧＵＩ１ａの一例を示しており、この表示画面には、利用者別顔写真付きアイコン列や利用者毎にログインするための「ログイン」ボタンや、同様にログアウトするための「ログアウト」ボタンなどが設けられている。利用者は先ず、「ログイン」ボタンを選択した後、付帯したカードデータ読取部１ｃ（図２参照）に自らのＩＣカードを装填することにより、これに紐付けされた利用者ＩＤが認識されると同時にログインが取得される。すると、カラオケホストセンター３０に予め登録それた利用者の顔写真、あるいは、予め登録されていない場合、付帯のデジタルカメラ機能を使って撮影した利用者の顔写真が新たに登録され、所定の利用者別顔写真付きアイコン１ａ−１が作成される。そして、例えば、利用者は自らの顔写真付きアイコン１ａ−１を選択し、続けて選曲の操作を行えば、その楽曲の演奏後に、その演奏履歴が当該利用者ＩＤに紐付けされて記録される。
【００４２】
図２３は、この利用者データベースＤＢ２（図３参照）の歌唱履歴に基づき、収集された統計データの一例を示す。Ｇ欄には利用者ＩＤが設定されており、この利用者ＩＤに予め紐付けされた利用者の氏名がＨ欄に記載され、個人別の統計データが記録されている。Ａ欄〜Ｆ欄については、前述したように、利用者ＩＤを問わないものと同様に算出され、図１６に示す処理手順と同様な統計処理が個人毎に実行される。すなわち、換算標準偏差（α）や相対標準偏差倍率（β）を算出し、個人毎あるいは利用者共通に予め設定された閾値により、同様な統計処理を施して個人用の推奨楽曲リストが作成される。そして、図２４に示すように、この楽曲情報には、上記Ｈ欄に記載された利用者氏名も併記され、適宜のタイミングにてモニター４および／または補助端末装置のＧＵＩ１ａにおいて表示される。なお、本発明の適宜のタイミングとは、楽曲と楽曲の演奏間、利用者による推奨楽曲の表示指示時、一定時間予約操作がなかった時、あるいは、利用者ＩＤが取得された時点などをいう。
【００４３】
これによりカラオケ歌唱者が年間の特徴的時期にどのようなカラオケ楽曲を頻繁に歌唱しているかを確認することができ、選曲が容易になるとともに、歌唱意欲が喚起されることになる。また、年間の特定の時期に無意識に頻繁に歌唱しているカラオケ楽曲を把握することができ、カラオケ装置のアミューズメント効果を向上することができる。
【図面の簡単な説明】
【００４４】
【図１】本発明を実施するカラオケ装置の概要を示す図である。
【図２】本発明を実施するカラオケ装置のブロック図である。
【図３】本発明のシステムの概要を示す図である。
【図４】本発明で利用する統計データの例を示す統計図である。
【図５】本発明により処理されたデータを蓄積する管理テーブルを示す図である。
【図６】図４の統計データの一部を図表化した例を示す図である。
【図７】図４の統計データの一部を図表化した例を示す図である。
【図８】図４の統計データの一部を図表化した例を示す図である。
【図９】図４の統計データの一部を図表化した例を示す図である。
【図１０】図４の統計データの一部を図表化した例を示す図である。
【図１１】図４の統計データの一部を図表化した例を示す図である。
【図１２】図４の統計データの一部を図表化した例を示す図である。
【図１３】図４の統計データの一部を図表化した例を示す図である。
【図１４】図４の統計データの一部を図表化した例を示す図である。
【図１５】図４の統計データの一部を図表化した例を示す図である。
【図１６】本発明の処理の流れを示すフローチャート図である。
【図１７】本発明のデータ処理における演算式を示す図である。
【図１８】本発明により求められる換算標準偏差を示す図表である。
【図１９】本発明により求められる相対標準偏差倍率の例を示す図表である。
【図２０】本発明により求められる相対標準偏差倍率の例を示す図表である。
【図２１】本発明により作成された推奨楽曲リストの表示例を示す図である。
【図２２】本発明の補助端末装置が付帯するＧＵＩの表示例である。
【図２３】本発明で利用する利用者別の統計データの径を示す統計図である。
【図２４】本発明により作成された利用者別の推奨楽曲リストの表示例である。
【符号の説明】
【００４５】
１・・・・・・補助端末装置
１ａ・・・・・ＧＵＩ
１ｂ・・・・・ＣＰＵ
１ｃ・・・・・カードデータ読取部
２・・・・・・カラオケ装置本体
３・・・・・・ＤＶＤプレーヤ
４・・・・・・モニター
５・・・・・・アンプユニット
６・７・・・・スピーカシステム
８・９・・・・マイクロフォン
１０・・・・・ＣＰＵ
１１・・・・・ＲＯＭ
１２・・・・・ＲＡＭ
１３・・・・・コマンダ受信部
１４・・・・・コマンダ
１５・・・・・操作部
１６・・・・・表示制御部
１７・・・・・表示制御部
１８・・・・・通信制御部
１９・・・・・ＨＤＤ
２０・・・・・文字パターン展開部
２１・・・・・音源
２２・・・・・音声データ処理部
２３・・・・・ＤＳＰ
２４・・・・・Ｄ／Ａ変換器
３０・・・・・カラオケホストセンター
Ｃ・・・・・・利用者カード
Ｎ・・・・・・情報通信ネットワーク
Ｓ・・・・・・店舗
【図１】
0004471387.tif 000002
【図２】
0004471387.tif 000003
【図３】
0004471387.tif 000004
【図４】
0004471387.tif 000005
【図５】
0004471387.tif 000006
【図６】
0004471387.tif 000007
【図７】
0004471387.tif 000008
【図８】
0004471387.tif 000009
【図９】
0004471387.tif 000010
【図１０】
0004471387.tif 000011
【図１１】
0004471387.tif 000012
【図１２】
0004471387.tif 000013
【図１３】
0004471387.tif 000014
【図１４】
0004471387.tif 000015
【図１５】
0004471387.tif 000016
【図１６】
0004471387.tif 000017
【図１７】
0004471387.tif 000018
【図１８】
0004471387.tif 000019
【図１９】
0004471387.tif 000020
【図２０】
0004471387.tif 000021
【図２１】
0004471387.tif 000022
【図２２】
0004471387.tif 000023
【図２３】
0004471387.tif 000024
【図２４】
0004471387.tif 000025